(57)【要約】【課題】第１所定用紙サイズよりも大きい第２所定用紙サイズのファックスデータを、第１所定用紙サイズのデータである分割データに分割し、記憶部に記憶させることで、受信したファックスデータの画像が見難くなるという問題を解消することができる、ファクシミリ装置を提供する。【解決手段】ファクシミリ装置１の制御部であるＣＰＵ５４は、第１ファックス受信準備処理において、Ａ４用紙サイズより大きいＡ３用紙サイズを示す第１ＤＩＳ信号を送信装置へモデム部３０に送信させ、ＤＣＳ信号が示す通信条件がＡ３用紙サイズ又はＢ４用紙サイズを示していた場合、第１ファックスデータ受信処理においてファックスデータをＡ４用紙サイズの複数のデータである第１分割データ及び第２分割データに分割し、ＲＡＭ５２の第１記憶領域５５に第１分割データを記憶させ、ＲＡＭ５２の第２記憶領域５６に第２分割データを記憶させる。【選択図】図４
2018170720.tif 000002
【特許請求の範囲】
【請求項１】
電話回線を介して送信装置との間でデータを送受信する通信部と、
ファックスデータに係わる画像を第１所定用紙サイズ以下の用紙に画像形成可能である画像形成部と、
制御部と、
記憶部と、
を備え、
前記制御部は、
前記第１所定用紙サイズより大きい用紙サイズである第２所定用紙サイズを示す第１デジタル識別信号を前記送信装置へ前記通信部に送信させ、前記送信装置が決定した通信条件を示すデジタル命令信号を前記通信部に受信させる第１ファックス受信準備処理と、
前記第１ファックス受信準備処理の後、前記通信条件の下で前記送信装置から送信された前記ファックスデータを前記通信部に受信させる第１ファックスデータ受信処理と、を実行し、
前記第１ファックスデータ受信処理において、
前記通信条件が前記第１所定用紙サイズ以下の用紙サイズであることを示していた場合、前記ファックスデータを前記記憶部に記憶させ、
前記通信条件が前記第１所定用紙サイズより大きいサイズを示していた場合、前記ファックスデータを前記第１所定用紙サイズの複数のデータである分割データに分割し、前記複数の分割データのそれぞれを前記記憶部に記憶させる、
ファクシミリ装置。
【請求項２】
前記制御部は、
第１設定と、第２設定と、の何れか一方に設定可能とされ、
前記第１設定に設定されている場合、前記第１ファックス受信準備処理と前記第１ファックスデータ受信処理とを実行し、
更に、
前記第２設定に設定されている場合、
前記第１所定用紙サイズを示す第２デジタル識別信号を前記通信部に送信させ、前記デジタル命令信号を前記通信部に受信させる第２ファックス受信準備処理と、
前記第２ファックス受信準備処理の後、前記通信部に前記通信条件の下で前記ファックスデータを受信させ、前記ファックスデータを前記記憶部に記憶させる、第２ファックスデータ受信処理と、を実行する、
請求項１に記載のファクシミリ装置。
【請求項３】
前記制御部は、
前記第１ファックスデータ受信処理において、
前記ファックスデータを、前記ファックスデータの先端から、前記第１所定用紙サイズの副走査方向の長さのデータである第１分割データと、前記第１分割データの後端から、前記ファックスデータの後端までのデータである第２分割データとに分割し、前記分割データごとに前記記憶部に記憶させる、
請求項１又は請求項２に記載のファクシミリ装置。
【請求項４】
前記制御部は、
前記第１ファックスデータ受信処理において、
前記ファックスデータを、前記ファックスデータの先端から、前記第１所定用紙サイズの副走査方向の長さのデータである第１分割データと、前記ファックスデータの後端から、前記第１所定用紙サイズの副走査方向の長さのデータである第２分割データとに分割し、前記分割データごとに前記記憶部に記憶させる、
請求項１又は請求項２に記載のファクシミリ装置。
【請求項５】
前記制御部は、
更に、
前記画像形成部を用いて、前記記憶部に記憶された前記第１分割データと前記第２分割データとを前記第１所定用紙サイズの用紙にそれぞれ画像形成させる画像形成処理、
を実行する、
請求項１から請求項４の何れか１項に記載のファクシミリ装置。
【発明の詳細な説明】
【技術分野】
【０００１】
本発明は、ファクシミリ装置に関し、詳細には、ファックス通信を行う場合における受信側のファクシミリ装置の制御に関するものである。
【背景技術】
【０００２】
ファックス通信を行う場合、受信側のファクシミリ装置（以下、「受信装置」と記載する）は、電話回線を介して接続されている送信側のファクシミリ装置（以下、「送信装置」と記載する）から、次のような手順の下でファックスデータを受信する。
【０００３】
受信装置は、送信装置からファックス識別信号を受信すると、電話回線を閉結させて、送信装置にデジタル識別信号（以下、「ＤＩＳ信号」と記載する）を送信する。ＤＩＳ信号には受信装置の受信能力（用紙サイズ、圧縮能力、通信速度など）の情報が含まれる。
【０００４】
ＤＩＳ信号を受信した送信装置は、受信装置の受信能力と自己の送信能力（送信する用紙サイズ、圧縮能力、通信速度など）とに基づいて、それぞれ通信可能な用紙サイズ、圧縮能力、通信速度などの通信条件を決定する。そして、決定した通信条件を送信装置がデジタル命令信号（以下、「ＤＣＳ信号」と記載する）として受信装置に送信し、受信装置がその決定された通信条件の下でファックスデータを受信する。
【０００５】
従来の送信装置において、例えばＡ３用紙サイズのファックスデータを送信する際に、送信装置が受信装置から「Ａ４用紙サイズで画像形成可能である」旨のＤＩＳ信号を受信した場合は、送信装置はＡ３用紙サイズのファックスデータをＡ４用紙サイズのファックスデータに縮小する画像処理を行ったうえで、受信装置にファックスデータを送信していた。
【０００６】
Ａ３用紙サイズのファックスデータをＡ４用紙サイズのファックスデータに縮小する画像処理を行った場合、受信装置で出力したデータ画像が見難くなるという問題がある。このため、送信装置が、予めＡ３用紙サイズのファックスデータをＡ４用紙サイズのファックスデータに分割してから受信装置に送信する技術が知られている（例えば、特許文献１を参照）。
【先行技術文献】
【特許文献】
【０００７】
【特許文献１】特開平１１−２０５５８７号公報
【発明の概要】
【発明が解決しようとする課題】
【０００８】
しかし、受信装置は、予め定められた通信手順の下で送信装置とやり取りを行うため、送信装置に対して、分割した画像データを送信するように指示をすることはできない。また、送信装置が特許文献１に記載の機能を有していない場合もあるため、送信装置がＡ３用紙サイズのファックスデータをＡ４用紙サイズに縮小して送信し、受信装置が縮小されたファックスデータを受信する可能性がある。このため、受信装置で出力したデータ画像が見難くなるという問題が依然として残っていた。
【０００９】
本発明は、前記した従来の技術が有する問題点を解決するためになされたものである。すなわちその課題とするところは、受信装置で記録可能な用紙サイズを超えてファックス通信を行う場合でも、縮小されたファックスデータを受信装置が受信することを回避する技術を提供することにある。
【課題を解決するための手段】
【００１０】
本発明の解決しようとする課題は以上の如くであり、次にこの課題を解決するための手段を説明する。
【００１１】
本発明のファクシミリ装置は、電話回線を介して送信装置との間でデータを送受信する通信部と、ファックスデータに係わる画像を第１所定用紙サイズ以下の用紙に画像形成可能である画像形成部と、制御部と、記憶部と、備え、前記制御部は、前記第１所定用紙サイズより大きい用紙サイズである第２所定用紙サイズを示す第１デジタル識別信号を前記送信装置へ前記通信部に送信させ、前記送信装置が決定した通信条件を示すデジタル命令信号を前記通信部に受信させる第１ファックス受信準備処理と、前記第１ファックス受信準備処理の後、前記通信条件の下で前記送信装置から送信された前記ファックスデータを前記通信部に受信させる第１ファックスデータ受信処理と、を実行し、前記第１ファックスデータ受信処理において、前記通信条件が前記第１所定用紙サイズ以下の用紙サイズであることを示していた場合、前記ファックスデータを前記記憶部に記憶させ、前記通信条件が前記第１所定用紙サイズより大きい用紙サイズを示していた場合、前記ファックスデータを前記第１所定用紙サイズの複数のデータである分割データに分割し、前記複数の分割データのそれぞれを前記記憶部に記憶させる。
【発明の効果】
【００１２】
本発明によれば、ファックスデータを第１所定用紙サイズのデータである分割データに分割し、記憶部に記憶させることで、ファクシミリ装置で受信したファックスデータの画像が見難くなるという問題を解消することができる。
【図面の簡単な説明】
【００１３】
【図１】本発明の一実施形態に係るファクシミリ装置の主要構成を示すブロック図。
【図２】画像形成部の構成を示した模式図。
【図３】ファクシミリ装置におけるファックス受信処理の流れを示すフローチャート。
【図４】ファクシミリ装置におけるファックス分割受信処理の流れを示すフローチャート。
【図５】Ａ３用紙サイズのファックスデータをＡ４用紙サイズの第１分割データと第２分割データとに分割するイメージを示した図。
【図６】Ｂ４用紙サイズのファックスデータをＡ４用紙サイズの第１分割データと第２分割データとに分割するイメージを示した図。
【図７】ファクシミリ装置における通常ファックス受信処理の流れを示すフローチャート。
【発明を実施するための形態】
【００１４】
＜ファクシミリ装置１の全体構成＞
まず、本発明の一実施形態に係るファクシミリ装置１の全体構成について、図１を用いて説明する。図１に示す如く、ファクシミリ装置１は、画像形成部１０、画像読取部２０、通信部の一例としてのモデム部３０、制御部の一例としてのＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）５０、ＲＯＭ５１、ＲＡＭ５２、操作部６０、及び、表示部７０を備えている。なお、ファクシミリ装置１を、データの送受信機能とアップロード機能とを備えた複合機（ＭＦＰ：Ｍｕｌｔｉ―Ｆｕｎｃｔｉｏｎ  Ｐｅｒｉｐｈｅｒａｌ）として構成することも可能である。
【００１５】
画像形成部１０は、ファックスデータに係わる画像を用紙Ｓ（図２を参照）に画像形成する。画像形成の方式は、電子写真方式であってもよいし、インクジェット方式であってもよい。本実施形態に係るファクシミリ装置１は、画像形成部１０において、本実施形態における「第１所定用紙サイズ」であるＡ４用紙サイズ以下の用紙に画像形成可能に構成されている。なお、本実施形態における「第２所定用紙サイズ」をＡ３用紙サイズとする。
【００１６】
画像読取部２０は、イメージセンサ（不図示）およびＡＦＥ（Ａｎａｌｏｇ  Ｆｒｏｎｔ  Ｅｎｄ）などを備えている。画像読取部２０では、イメージセンサによりコンタクトガラス上の原稿の画像が読み取られて、イメージセンサからアナログ画像信号が出力され、ＡＦＥによりそのアナログ画像信号がデジタル画像データに変換される。
【００１７】
モデム部３０は、モジュラジャック３１に接続されている。モデム部３０は、交換機４０と接続されている一対の電話回線４１がモジュラジャック３１に挿入されることにより、公衆回線網と接続される。ファクシミリ装置１はモデム部３０により、交換機４０、モジュラジャック３１及び電話回線４１を介して、送信装置である他のファックス機との間でデータを送受信する。
【００１８】
モデム部３０は、回線開閉部の一例としての回線開閉回路３２を備えている。回線開閉回路３２は、一対の電話回線４１間の接続の開閉を切り替える。回線開閉回路３２が閉状態のときは、一対の電話回線４１の間が接続される。回線開閉回路３２が開状態のときは、一対の電話回線４１の間の接続が解除される。なお、電話回線４１を閉結するとは、一対の電話回線４１間を接続することで、電話回線４１の先に接続されている交換機４０と、モデム部３０との間で閉回路を作ることを意味する。
【００１９】
ＡＳＩＣ５０は、ＣＰＵ５４を内蔵している。ＡＳＩＣ５０には、交換機４０との間で送受信されるファックス通信用のデータがモデム部３０を介して入出力される。ＣＰＵ５４は、ＡＳＩＣ５０に入力される情報に基づいて、各種の処理のためのプログラムを実行することにより、画像形成部１０及び画像読取部２０を制御し、モデム部３０を介した通信を制御する。
【００２０】
ＲＯＭ５１には、ＣＰＵ５４によって実行されるプログラム及び各種のデータなどが記憶されている。
【００２１】
記憶部の一例としてのＲＡＭ５２は、ＣＰＵ５４がプログラムを実行する際のワークエリアとして使用される。ＲＡＭ５２は、各種制御プログラムが読み出される作業領域として、あるいは、ファックスデータ等のデータを一時的に記憶する記憶領域として利用される。ＲＡＭ５２は、第１記憶領域５５及び第２記憶領域５６の二個の記憶領域を備える。
【００２２】
操作部６０は、各種の指示を入力するために操作される操作ボタン（たとえば、スタートキー、テンキー、カーソルキー）などを備えている。本実施形態に係るファクシミリ装置１では、使用者による操作部６０の操作により、ＣＰＵ５４における制御を「第１設定」又は「第２設定」の何れか一方に設定可能とされている。
【００２３】
表示部７０は、たとえば、液晶表示器からなる。表示部７０には、ＣＰＵ５４における制御が「第１設定」又は「第２設定」の何れに設定されているかが表示される。
【００２４】
＜画像形成部１０＞
次に、本実施形態に係る画像形成部１０について、図２を用いて説明する。図２に示すように、ファクシミリ装置１は、給紙ローラ１６や記録紙搬送ローラ１７などの各種ローラからなる記録紙搬送部１８を有している。記録紙搬送部１８は、図２中の二点鎖線に示す如く、記録紙搬送経路１５に沿って用紙Ｓを搬送する。各種ローラは、不図示のモータなどの駆動手段によって回転し、記録紙トレイ１１に載置された用紙Ｓを画像形成部１０へと搬送する。
【００２５】
画像形成部１０は、インク等を用いて用紙Ｓに画像を形成する形成ヘッド１２、形成ヘッド１２が固定される搬送ベルト１３、及び、ローラ１４等を含む。ローラ１４は、不図示のモータなどの駆動手段によって回転し、回転により搬送ベルト１３をファクシミリ装置１の左右方向に平行な方向である主走査方向Ｄ１に移動させる。画像形成部１０は、ファクシミリ装置１の前後方向に平行な方向である副走査方向Ｄ２に搬送される用紙Ｓに対して、形成ヘッド１２を主走査方向Ｄ１に移動させながら、主走査方向Ｄ１に画像形成を行う。
【００２６】
記録紙トレイ１１では、用紙Ｓを載置する向きが決まっており、図２に実線で示すように、Ａ４用紙サイズの用紙Ｓを、用紙Ｓの長辺が主走査方向Ｄ１と平行となる横向きに載置する。このように、本実施形態における画像形成部１０では、Ａ４用紙サイズの用紙の長辺方向が主走査方向Ｄ１と平行となるように配置した状態で画像形成を行うのである。
【００２７】
＜ファックス受信処理＞
次に、本実施形態に係るファクシミリ装置１で実行されるファックス受信処理について、図３を用いて説明する。本実施形態においては、ファクシミリ装置１が受信装置であり、送信装置である他のファックス機からファックスデータを受信する場合について説明する。
【００２８】
図３中のステップＳ０１に示す如く、ＣＰＵ５４は、モデム部３０を介してＣＮＧ信号を受信したか否かを判断する。ＣＮＧ信号は、ファックス送信であることを示す信号であり、送信装置から送信される。ＣＰＵ５４は、モデム部３０によるＣＮＧ信号の受信の有無によってファックスか電話かを区別する。ステップＳ０１においてＣＮＧ信号を受信したとＣＰＵ５４が判断した場合はステップＳ０２に進み、ＣＮＧ信号を受信していないとＣＰＵ５４が判断した場合はステップＳ０１を繰り返す。
【００２９】
ステップＳ０２においてＣＰＵ５４は、モデム部３０に対して電話回線４１を閉結するように指示し、ステップＳ０３に進む。これにより、一対の電話回線４１の間が接続される。
【００３０】
ステップＳ０３においてＣＰＵ５４は、ＣＰＵ５４における制御が第１設定と第２設定との何れに設定されているかを判断する。第１設定に設定されている場合、ステップＳ０４に進む。第１設定に設定されていない（第２設定に設定されている）場合、ステップＳ１１に進む。
【００３１】
ステップＳ０４においてＣＰＵ５４は、モデム部３０に、ＣＥＤ信号（被呼局識別信号）及び第１ＤＩＳ信号を、交換機４０を介して送信装置へ送信させ、ステップＳ０５に進む（第１ファックス受信準備処理）。第１ＤＩＳ信号にはファクシミリ装置１の圧縮能力、通信速度などの受信能力の情報が含まれており、本実施形態においては、モノクロで画像形成可能であること、及び、用紙サイズは第２所定用紙サイズであるＡ３用紙サイズであることを示す。
ファクシミリ装置１は、Ａ４用紙サイズの用紙Ｓを画像形成部１０を用いて画像形成するものであるため、本来、用紙サイズとしては、第１所定用紙サイズであるＡ４用紙サイズを示すＤＩＳ信号を送信すべきである。第１設定に設定されている場合（Ｓ０３：ＹＥＳ）、第２所定用紙サイズであるＡ３用紙サイズであることを示す第１ＤＩＳ信号を交換機４０を介して送信装置へ送信する。
【００３２】
ステップＳ０５においてＣＰＵ５４は、モデム部３０がＤＣＳ信号を受信したか否かを判断する。ＤＣＳ信号には、送信装置が決定した、相互に通信可能な用紙サイズ、圧縮能力、通信速度などの通信条件の情報が含まれている。ステップＳ０５においてモデム部３０がＤＣＳ信号を受信したとＣＰＵ５４が判断した場合はステップＳ０６に進み、モデム部３０がＤＣＳ信号を受信していないとＣＰＵ５４が判断した場合はステップＳ０５を繰り返す。
【００３３】
ステップＳ０６においてＣＰＵ５４は、ステップＳ０５で受信したＤＣＳ信号が示す通信条件が、第１所定用紙サイズであるＡ４用紙サイズ以下であるか否かを判断する。通信条件がＡ４用紙サイズ以下ではない（Ａ３用紙サイズ又はＢ４用紙サイズである）と判断した場合はステップＳ０７に進み、Ａ４用紙サイズ以下であると判断した場合はステップＳ１３に進む。
【００３４】
ステップＳ０７においてＣＰＵ５４は、ファックス分割受信処理Ｐ１を実行し、ステップＳ０８に進む。ファックス分割受信処理Ｐ１については後述する。
【００３５】
ステップＳ１１においてＣＰＵ５４は、モデム部３０に、ＣＥＤ信号及び第２ＤＩＳ信号を、交換機４０を介して送信装置へ送信させ、ステップＳ１２に進む（第２ファックス受信準備処理）。第２ＤＩＳ信号にはファクシミリ装置１の圧縮能力、通信速度などの受信能力の情報が含まれており、本実施形態においては、モノクロで画像形成可能であること、及び、用紙サイズは第１所定用紙サイズであるＡ４用紙サイズであることを示す。
【００３６】
ステップＳ１２においてＣＰＵ５４は、モデム部３０がＤＣＳ信号を受信したか否かを判断する。ステップＳ１２においてモデム部３０がＤＣＳ信号を受信したとＣＰＵ５４が判断した場合はステップＳ１３に進み、モデム部３０がＤＣＳ信号を受信していないとＣＰＵ５４が判断した場合はステップＳ１２を繰り返す。
【００３７】
ステップＳ１３においてＣＰＵ５４は、通常ファックス受信処理Ｐ２を実行し、ステップＳ０８に進む。通常ファックス受信処理Ｐ２については後述する。
【００３８】
ステップＳ０８においてＣＰＵ５４は、モデム部３０に対して一対の電話回線４１の間を開放するように指示し、ステップＳ０９に進む。これにより、一対の電話回線４１の間の接続が解除される。
【００３９】
ステップＳ０９においてＣＰＵ５４は、ＲＡＭ５２が記憶するファックスデータの画像を印刷するか否かを判断する。ファックスデータの画像を印刷する場合、ステップＳ１０に進む。ファックスデータの画像を印刷しない場合、ファックス受信処理を終了する。
【００４０】
ステップＳ１０においてＣＰＵ５４は、画像形成部１０を制御してファックスデータの画像の印刷処理を実行し、ファックス受信処理を終了する。
【００４１】
＜ファックス分割受信処理Ｐ１＞
次に、ファックス受信処理におけるステップＳ０７で実行されるファックス分割受信処理Ｐ１について、図４を用いて説明する。
【００４２】
図４中のステップＳ１０１に示す如く、ＣＰＵ５４は、ファックス受信処理におけるステップＳ０５で受信したＤＣＳ信号が示す通信条件が、Ａ３用紙サイズであるか否かを判断する。通信条件がＡ３用紙サイズであると判断した場合はステップＳ１０２に進み、Ａ３用紙サイズではない（Ｂ４用紙サイズである）と判断した場合はステップＳ１１２に進む。
【００４３】
ステップＳ１０２においてＣＰＵ５４は、モデム部３０を介してＡ３用紙サイズのデータであるファックスデータの受信を開始し（第１ファックスデータ受信処理）、ＲＡＭ５２の第１記憶領域５５へ、受信したファックスデータを第１分割データとして記憶開始し、ステップＳ１０３に進む。第１分割データは図５に示す如く、受信したファックスデータをＡ４用紙サイズのデータに分割したもののうち先に受信する部分である。
【００４４】
ステップＳ１０３においてＣＰＵ５４は、ファックスデータをＡ４短辺幅まで受信したか否かを判断する。ステップＳ１０３においてファックスデータをＡ４短辺幅まで受信したとＣＰＵ５４が判断した場合はステップＳ１０４に進み、Ａ４短辺幅まで受信していないとＣＰＵ５４が判断した場合はステップＳ１０３を繰り返す。
【００４５】
ステップＳ１０４においてＣＰＵ５４は、第１記憶領域５５への第１分割データの記憶を終了し、ステップＳ１０５に進む。
【００４６】
ステップＳ１０５においてＣＰＵ５４は、第１記憶領域５５で記憶する第１分割データを、Ａ４用紙サイズ１枚のファックスデータとして第１記憶領域５５に記憶し、ステップＳ１０６に進む。
【００４７】
ステップＳ１０６においてＣＰＵ５４は、ＲＡＭ５２の第２記憶領域５６へ、受信したファックスデータのうち、第１分割データの後端からファックスデータの後端までのデータである第２分割データとして記憶開始し、ステップＳ１０７に進む。第２分割データは図５に示す如く、受信したファックスデータをＡ４用紙サイズのデータに分割したもののうち後で受信する部分である。
【００４８】
ステップＳ１０７においてＣＰＵ５４は、ファックスデータをＡ３長辺幅まで受信したか否かを判断する。ステップＳ１０７においてファックスデータをＡ３長辺幅まで受信したとＣＰＵ５４が判断した場合はステップＳ１０８に進み、Ａ３長辺幅まで受信していないとＣＰＵ５４が判断した場合はステップＳ１０７を繰り返す。
【００４９】
ステップＳ１０８においてＣＰＵ５４は、第２記憶領域５６への第２分割データの記憶を終了し、ステップＳ１０９に進む。
【００５０】
ステップＳ１０９においてＣＰＵ５４は、第２記憶領域５６で記憶する第２分割データを、Ａ４用紙サイズ１枚のファックスデータとして第２記憶領域５６に記憶し、ステップＳ１１０に進む。
【００５１】
ステップＳ１１０においてＣＰＵ５４は、モデム部３０を介してＥＯＰ信号（送信終了通知信号）を受信したか否かを判断する。ステップＳ１１０においてＥＯＰ信号を受信したとＣＰＵ５４が判断した場合はステップＳ１１１に進み、ＥＯＰ信号を受信していないとＣＰＵ５４が判断した場合はステップＳ１０２に戻る。
【００５２】
ステップＳ１１２においてＣＰＵ５４は、モデム部３０を介してＢ４用紙サイズのデータであるファックスデータの受信を開始し（第１ファックスデータ受信処理）、ＲＡＭ５２の第１記憶領域５５へ、受信したファックスデータを第１分割データとして記憶開始し、ステップＳ１１３に進む。第１分割データは図６に示す如く、受信したファックスデータをＡ４用紙サイズのデータに分割したもののうち先に受信する部分である。
【００５３】
ステップＳ１１３においてＣＰＵ５４は、ファックスデータを（Ａ４短辺−Ｈ）幅まで受信したか否かを判断する（図６を参照）。ステップＳ１１３においてファックスデータを（Ａ４短辺−Ｈ）幅まで受信したとＣＰＵ５４が判断した場合はステップＳ１１４に進み、（Ａ４短辺−Ｈ）幅まで受信していないとＣＰＵ５４が判断した場合はステップＳ１１３を繰り返す。本実施形態において、ＨはＡ４短辺の２倍からＢ４長辺を引いた値であり、図６に示す如く、Ａ４用紙２枚をＢ４用紙長辺の長さになるように並べた際に重なる幅である。
【００５４】
ステップＳ１１４においてＣＰＵ５４は、ＲＡＭ５２の第２記憶領域５６へ、受信したファックスデータのうち、ファックスデータの後端からＡ４用紙サイズの副走査方向の長さのデータである第２分割データとして記憶開始し、ステップＳ１１５に進む。第２分割データは図６に示す如く、受信したＢ４用紙サイズのファックスデータをＡ４用紙サイズのデータに分割したもののうち後で受信する部分であり、第１分割データとは幅Ｈで重なる部分（マージン）を有する。
【００５５】
ステップＳ１１５においてＣＰＵ５４は、ファックスデータをＡ４短辺幅まで受信したか否かを判断する。ステップＳ１１５においてファックスデータをＡ４短辺幅まで受信したとＣＰＵ５４が判断した場合はステップＳ１１６に進み、Ａ４短辺幅まで受信していないとＣＰＵ５４が判断した場合はステップＳ１１５を繰り返す。
【００５６】
ステップＳ１１６においてＣＰＵ５４は、第１記憶領域５５への第１分割データの記憶を終了し、ステップＳ１１７に進む。
【００５７】
ステップＳ１１７においてＣＰＵ５４は、第１記憶領域５５で記憶する第１分割データを、Ａ４用紙サイズ１枚のファックスデータとして第１記憶領域５５に記憶し、ステップＳ１１８に進む。
【００５８】
ステップＳ１１８においてＣＰＵ５４は、ファックスデータをＢ４長辺幅まで受信したか否かを判断する。ステップＳ１１８においてファックスデータをＢ４長辺幅まで受信したとＣＰＵ５４が判断した場合はステップＳ１１９に進み、Ｂ４長辺幅まで受信していないとＣＰＵ５４が判断した場合はステップＳ１１８を繰り返す。
【００５９】
ステップＳ１１９においてＣＰＵ５４は、第２記憶領域５６への第２分割データの記憶を終了し、ステップＳ１２０に進む。
【００６０】
ステップＳ１２０においてＣＰＵ５４は、第２記憶領域５６で記憶する第２分割データを、Ａ４用紙サイズ１枚のファックスデータとして第２記憶領域５６に記憶し、ステップＳ１２１に進む。
【００６１】
ステップＳ１２１においてＣＰＵ５４は、モデム部３０を介してＥＯＰ信号（送信終了通知信号）を受信したか否かを判断する。ステップＳ１１０においてＥＯＰ信号を受信したとＣＰＵ５４が判断した場合はステップＳ１１１に進み、ＥＯＰ信号を受信していないとＣＰＵ５４が判断した場合はステップＳ１１２に戻る。
【００６２】
ステップＳ１１１においてＣＰＵ５４は、モデム部３０に、ＤＣＮ信号（回線切断指示信号）を送信装置へ送信させ、ファックス分割受信処理Ｐ１を終了する。
【００６３】
＜通常ファックス受信処理Ｐ２＞
次に、ファックス受信処理におけるステップＳ１３で実行される通常ファックス受信処理Ｐ２について、図７を用いて説明する。
【００６４】
図７中のステップＳ２０１に示す如く、ＣＰＵ５４は、モデム部３０を介してＡ４用紙サイズのデータであるファックスデータの受信を開始し（第１ファックスデータ受信処理又は第２ファックスデータ受信処理）、ＲＡＭ５２の第１記憶領域５５へ、受信したファックスデータを記憶開始し、ステップＳ２０２に進む。ステップＳ２０１で受信するファックスデータには、送信装置がＡ３用紙サイズ又はＢ４用紙サイズをＡ４用紙サイズに縮小したものも含まれる。
【００６５】
ステップＳ２０２においてＣＰＵ５４は、ファックスデータをＡ４長辺幅まで受信したか否かを判断する。ステップＳ２０２においてファックスデータをＡ４長辺幅まで受信したとＣＰＵ５４が判断した場合はステップＳ２０３に進み、Ａ４長辺幅まで受信していないとＣＰＵ５４が判断した場合はステップＳ２０２を繰り返す。
【００６６】
ステップＳ２０３においてＣＰＵ５４は、第１記憶領域５５へのファックスデータの記憶を終了し、ステップＳ２０４に進む。
【００６７】
ステップＳ２０４においてＣＰＵ５４は、第１記憶領域５５で記憶するファックスデータを、Ａ４用紙サイズ１枚のファックスデータとして第１記憶領域５５に記憶し、ステップＳ２０５に進む。
【００６８】
ステップＳ２０５においてＣＰＵ５４は、モデム部３０を介してＥＯＰ信号（送信終了通知信号）を受信したか否かを判断する。ステップＳ２０５においてＥＯＰ信号を受信したとＣＰＵ５４が判断した場合はステップＳ２０６に進み、ＥＯＰ信号を受信していないとＣＰＵ５４が判断した場合はステップＳ２０１に戻る。
【００６９】
ステップＳ２０６においてＣＰＵ５４は、モデム部３０に、ＤＣＮ信号（回線切断指示信号）を送信装置へ送信させ、通常ファックス受信処理Ｐ２を終了する。
【００７０】
＜ファクシミリ装置１の効果＞
上記の如く、本実施形態に係るファクシミリ装置１によれば、ＣＰＵ５４は、第１設定又は第２設定の何れかに設定可能とされる。そして、ＣＰＵ５４が第１設定に設定されている場合は、第１ファックス受信準備処理において、Ａ４用紙サイズより大きいＡ３用紙サイズを示す第１ＤＩＳ信号を送信装置へモデム部３０に送信させる（ステップＳ０４）。そして、ＤＣＳ信号が示す通信条件がＡ４用紙サイズ以下であることを示していた場合、第１ファックスデータ受信処理においてファックスデータをＲＡＭ５２の第１記憶領域５５に記憶させる（ステップＳ２０１）。
【００７１】
一方、ＤＣＳ信号が示す通信条件がＡ３用紙サイズ又はＢ４用紙サイズを示していた場合、図５及び図６に示す如く第１ファックスデータ受信処理においてファックスデータをＡ４用紙サイズの複数のデータである第１分割データ及び第２分割データに分割する。そして、ＲＡＭ５２の第１記憶領域５５に第１分割データを記憶させ（ステップＳ１０２又はステップＳ１１２）、ＲＡＭ５２の第２記憶領域５６に第２分割データを記憶させる（ステップＳ１０６又はステップＳ１１４）。
【００７２】
更に、ＣＰＵ５４は、画像形成部１０を用いて、第１記憶領域５５及び第２記憶領域５６に記憶された第１分割データと第２分割データとをＡ４用紙サイズの用紙にそれぞれ画像形成させる画像形成処理を実行する（ステップＳ１０）。
【００７３】
本実施形態に係るファクシミリ装置１においては上記の如く、本来送信すべきＡ４用紙サイズではなく、Ａ３用紙サイズを示す第１ＤＩＳ信号を送信装置に送信する。送信装置はＡ３（Ｂ４）用紙サイズのファックスデータを送る際に、Ａ４用紙サイズを示すＤＩＳ信号を受信すると、Ａ４用紙サイズのファックスデータに縮小する画像処理を行ってしまう。しかし、Ａ３用紙サイズを示す第１ＤＩＳ信号を送信装置に送信するため、本実施形態に係る送信装置は、Ａ４用紙サイズのファックスデータに縮小する画像処理を行うことがない。そして、ファクシミリ装置１においてはＡ３（Ｂ４）用紙サイズのファックスデータをＡ４用紙サイズに分割して出力するため、データ画像が見難くなることを防止できる。即ち、本実施形態に係るファクシミリ装置１においては、ファクシミリ装置１で記録可能な用紙サイズであるＡ４用紙サイズを超えて、Ａ３用紙サイズ又はＢ４用紙サイズでファックス通信を行う場合でも、縮小されたファックスデータを受信することを回避することができるのである。
【００７４】
なお、本実施形態において、受信日時や発信元情報などの受信情報は、連続する２枚のＡ４用紙を並べて分割前のＡ３（Ｂ４）用紙サイズにしたときの片側（奇数ページ）のみに、Ａ３（Ｂ４）用紙サイズにしたときの短辺側（一のＡ４用紙における他のＡ４用紙と反対側の長辺）に付加する構成としている。
【００７５】
また、本実施形態に係るファクシミリ装置１において、ＣＰＵ５４が第２設定に設定されている場合は、第２ファックス受信準備処理において、Ａ４用紙サイズを示す第２ＤＩＳ信号を送信装置へモデム部３０に送信させる（ステップＳ１１）。そして、第２ファックスデータ受信処理においてファックスデータをＲＡＭ５２の第１記憶領域５５に記憶させる（ステップＳ２０１）。
【００７６】
本実施形態に係るファクシミリ装置１においては上記の如く、Ａ３用紙サイズを示す第１ＤＩＳ信号を送信装置へ送信する第１設定とするか、又は、Ａ４用紙サイズを示す第２ＤＩＳ信号を送信装置へ送信する第２設定とするか、を選択することができる。これにより、第１設定に設定して、Ａ３用紙サイズ又はＢ４用紙サイズのファックスデータをＡ４用紙サイズの複数のデータに分割するか、第２設定に設定して、送信装置がＡ３用紙サイズ又はＢ４用紙サイズをＡ４用紙サイズに縮小したファックスデータを受信して記録するか、を選択することができる。第２設定とした場合、ファクシミリ装置１における用紙Ｓの消費量を少なくすることができる。
【００７７】
また、本実施形態に係るファクシミリ装置１において、ＣＰＵ５４が第１設定に設定されており、ＤＣＳ信号が示す通信条件がＡ３用紙サイズである場合は図５に示す如く、第１ファックスデータ受信処理において、ファックスデータを、ファックスデータの先端から、Ａ４用紙サイズの副走査方向の長さのデータである第１分割データと、第１分割データの後端から、ファックスデータの後端までのデータである第２分割データとに分割し、第１記憶領域５５に第１分割データを記憶させ、第２記憶領域５６に第２分割データを記憶させている。
【００７８】
このように、本実施形態に係るファクシミリ装置１によれば、ファックスデータの副走査方向の長さ（Ａ３長辺）が第１所定用紙サイズであるＡ４用紙サイズの副走査方向の長さ（Ａ４短辺）の２倍である場合に、ファックスデータを第１分割データと第２分割データとに分割して記憶できる。
【００７９】
また、本実施形態に係るファクシミリ装置１において、ＣＰＵ５４が第１設定に設定されており、ＤＣＳ信号が示す通信条件がＢ４用紙サイズである場合は図６に示す如く、第１ファックスデータ受信処理において、ファックスデータを、ファックスデータの先端からＡ４用紙サイズの副走査方向の長さのデータである第１分割データと、ファックスデータの後端からＡ４用紙サイズの副走査方向の長さのデータである第２分割データとに分割し、第１記憶領域５５に第１分割データを記憶させ、第２記憶領域５６に第２分割データを記憶させている。
【００８０】
このように、本実施形態に係るファクシミリ装置１によれば、ファックスデータの副走査方向の長さ（Ｂ４長辺）が第１所定用紙サイズであるＡ４用紙サイズの副走査方向の長さ（Ａ４短辺）の２倍よりも小さい場合は、自動的に幅Ｈのマージンが設定されるため、データの欠落を防止することができる。本実施形態においては図６に示す如く、第１分割データ及び第２分割データにおける幅Ｈの領域内に、副走査方向における同じ位置を示す調整用の線Ｌ１、Ｌ２を記録している。
【００８１】
なお、本実施形態においては、ＤＣＳ信号が示す通信条件がＢ４用紙サイズである場合は幅Ｈのマージンを設定し、通信条件がＡ３用紙サイズである場合にはマージンを設定しない構成としているが、通信条件がＡ３用紙サイズである場合でも、第１分割データ及び第２分割データに縮小処理をすることにより、マージンを設定する構成とすることも可能である。
【００８２】
また、本実施形態に係るファクシミリ装置１の画像形成部１０では、Ａ４用紙サイズの用紙の長辺方向である主走査方向Ｄ１に形成ヘッド１２を移動させながら画像形成を行う構成としている。このため、Ａ３用紙サイズのファックスデータをＡ４用紙サイズに分割して出力する際に、主走査方向Ｄ１に沿って分割されたファックスデータを受信する毎に印刷する構成にすることが可能となる。この場合は、受信するファックスデータがＡ４用紙サイズになるのを待って印刷する構成と比較して、受信から印刷までの時間を短縮することが可能となる。なお、Ａ４用紙サイズのファックスデータを受信する際は、短辺方向に沿って分割されたファックスデータを受信することになる。このため、本実施形態においては、一枚のファックスデータに対して、Ａ４用紙サイズの長辺側から画像形成できるように回転処理を行い、長辺方向に沿って分割されたファックスデータ毎に印刷する構成としている。
【００８３】
なお、本実施形態において記載している用紙サイズ（Ａ４用紙サイズ、Ａ３用紙サイズ、及び、Ｂ４用紙サイズ）についてはあくまで一例であり、本発明を他の用紙サイズを用いるファクシミリ装置に適用することも可能である。
【符号の説明】
【００８４】
１  ファクシミリ装置
１０  画像形成部
３０  モデム部（通信部）
４１  電話回線
５２  ＲＡＭ（記憶部）
５４  ＣＰＵ（制御部）
【図１】
2018170720.tif 000003
【図２】
2018170720.tif 000004
【図３】
2018170720.tif 000005
【図４】
2018170720.tif 000006
【図５】
2018170720.tif 000007
【図６】
2018170720.tif 000008
【図７】
2018170720.tif 000009